(57)【要約】【課題】停電等により送風機が停止して燃焼炉への空気の導入が中断された場合であっても、燃焼炉で発生する有害ガスを室外へ効率的に排出可能な温風暖房機の提供【解決手段】温風暖房機１は、燃焼炉２と、燃焼炉２へ空気を導入するための送風機７，８と、熱交換器３と、燃焼炉２から熱交換器３へ燃焼ガスを導入する燃焼ガス管６と、燃焼ガス管６から分岐して設けられたベント配管９と、を備える。燃焼ガスは、送風機７，８の稼働により煙突を介して排出される。送風機７，８の停止時に燃焼炉２で発生した不完全燃焼ガスは、ベント配管９の煙突効果によりベント配管９を介して排出される。【選択図】図１
2018096565.tif 000002
【特許請求の範囲】
【請求項１】
燃料の燃焼が行われる燃焼炉と、
前記燃焼炉へ空気を導入するための送風機と、
前記燃焼炉の下流側に設けられた熱交換器と、
前記燃焼炉から前記熱交換器へ燃焼ガスを導入する燃焼ガス管と、
前記熱交換器の下流側に設けられて燃焼ガスを室外へ排出するための煙突と、
前記燃焼ガス管から分岐して設けられたベント配管と、を備え、
前記燃焼ガスは、前記送風機の稼働により前記煙突を介して排出され、
前記送風機の停止時に前記燃焼炉で発生した不完全燃焼ガスは、前記ベント配管の煙突効果により前記ベント配管を介して室外へ排出されることを特徴とする温風暖房機。
【請求項２】
燃料の燃焼が行われる燃焼炉と、
前記燃焼炉へ空気を導入するための送風機と、
前記燃焼炉の下流側に設けられ、煙管を有する熱交換器と、
前記燃焼炉から前記熱交換器へ燃焼ガスを導入する燃焼ガス管と、
前記熱交換器の下流側に設けられ、燃焼ガスを室外へ排出するための煙突と、
前記燃焼ガス管から分岐して設けられたベント配管と、
前記煙管の詰まりの発生を検知する検知手段と、を備え、
前記燃焼ガスは、前記送風機の稼働により前記煙管を通過した後に前記煙突を介して排出され、
前記煙管に詰まりが生じ燃焼ガスの通過が妨げられたときは、前記燃焼ガス管における内部圧力の上昇により燃焼ガスの一部が前記ベント配管に流入し、前記検知手段は燃焼ガスの前記ベント配管への流入の有無に基づき前記煙管の詰まりの発生を検知することを特徴とする温風暖房機。
【請求項３】
前記検知手段は、前記ベント配管の内部温度を検知する温度センサを備え、前記温度センサにより検知された前記内部温度に基づき、燃焼ガスの前記ベント配管への流入の有無を検知することを特徴とする請求項２に記載の温風暖房機。
【請求項４】
前記内部温度が第１所定温度を超えた場合には、前記検知手段は報知手段を介して詰まりの発生を使用者に報知し、
前記内部温度が前記第１所定温度よりも高い第２所定温度を超えた場合には、前記検知手段は前記送風機を停止させることを特徴とする請求項３に記載の温風暖房機。
【請求項５】
前記ベント配管の外面は断熱材で覆われていることを特徴とする請求項１〜４の何れかに記載の温風暖房機。
【発明の詳細な説明】
【技術分野】
【０００１】
本発明は、熱交換器を備えた温風暖房機に関する。
【背景技術】
【０００２】
従来より、固形燃料を用いたストーブが提案されている。これは、炉内で固形燃料を燃焼させ、炉表面からの輻射熱により室内空気を暖めるものであり、炉内で発生した燃焼ガスは煙突効果によって煙突を介して屋外へ排出される（例えば、特許文献１参照）。しかしながら、このような輻射式のストーブは、比較的狭い空間を暖房するには十分であるが、広い空間を有する園芸ハウスには不十分であった。
【０００３】
そこで、園芸ハウスにおける暖房設備として、熱交換器を用いた温風暖房機が提案されている（例えば、特許文献２及び３参照）。温風暖房機は、ファンを用いて燃焼炉に空気を取り込み、燃焼炉で発生した燃焼ガスを煙管及び煙突を介して室外へ排出する一方で、低温のハウス内空気をケーシング内に取り入れ、低温のハウス内空気と燃焼ガスとを煙管により熱交換し、ハウス内へ温風を吹き出して暖房を行うように構成されている。また、温風暖房機の燃料として、木屑や籾殻等を利用したバイオマス固形燃料が見直されている。
【先行技術文献】
【特許文献】
【０００４】
【特許文献１】特開２０１０−１９４７０号公報
【特許文献２】特開２００６−３１７０４３号公報
【特許文献３】特開２０１６−３８１９８号公報
【発明の概要】
【発明が解決しようとする課題】
【０００５】
上述したような熱交換器を用いた温風暖房機の稼働中に停電が発生すると、燃焼炉への空気の導入が停止し、燃料は不完全燃焼を起し、有害ガスが発生する。そして、熱交換器が抵抗となるために、自然通風を利用した煙突からの排出では十分に不完全燃焼ガスを排出することができず、有害ガスが室内に充満して危険な状態となる。特に固形燃料を用いる暖房機においては、重油等を燃料とするものと比較して、空気（酸素）の供給が遮断されても長時間にわたって燃料がくすぶり続けるため、有害ガス発生による事故の危険性が高くなる。
【０００６】
また、熱交換器に煤が蓄積して煙管が閉塞すると、燃焼ガスが逆流して燃焼炉の隙間から室内に流れ込む虞がある。
【０００７】
本発明は、停電等により送風機が停止して燃焼炉への空気の導入が中断された場合であっても、燃焼炉で発生する有害ガスを室外へ効率的に排出可能な温風暖房機の提供を目的とする。
【０００８】
本発明は、熱交換器の煙管における詰まりの発生を検知可能な温風暖房機の提供を他の目的とする。
【課題を解決するための手段】
【０００９】
本発明に係る温風暖房機は、燃料の燃焼が行われる燃焼炉と、前記燃焼炉へ空気を導入するための送風機と、前記燃焼炉の下流側に設けられた熱交換器と、前記燃焼炉から前記熱交換器へ燃焼ガスを導入する燃焼ガス管と、前記熱交換器の下流側に設けられて燃焼ガスを室外へ排出するための煙突と、前記燃焼ガス管から分岐して設けられたベント配管と、を備え、前記燃焼ガスは、前記送風機の稼働により前記煙突を介して排出され、前記送風機の停止時に前記燃焼炉で発生した不完全燃焼ガスは、前記ベント配管の煙突効果により前記ベント配管を介して室外へ排出されることを特徴とする。
【００１０】
また、本発明に係る暖房機は、燃料の燃焼が行われる燃焼炉と、前記燃焼炉へ空気を導入するための送風機と、前記燃焼炉の下流側に設けられ、煙管を有する熱交換器と、前記燃焼炉から前記熱交換器へ燃焼ガスを導入する燃焼ガス管と、前記熱交換器の下流側に設けられ、燃焼ガスを室外へ排出するための煙突と、前記燃焼ガス管から分岐して設けられたベント配管と、前記煙管の詰まりの発生を検知する検知手段と、を備え、前記燃焼ガスは、前記送風機の稼働により前記煙管を通過した後に前記煙突を介して排出され、前記煙管に詰まりが生じ燃焼ガスの通過が妨げられたときは、前記燃焼ガス管における圧力上昇により燃焼ガスの一部が前記ベント配管に流入し、前記検知手段は燃焼ガスの前記ベント配管への流入の有無に基づき前記煙管の詰まりの発生を検知することを特徴とする。
【発明の効果】
【００１１】
本発明に係る温風暖房機によれば、燃焼ガス管から分岐して設けられたベント配管を備え、送風機の停止時に燃焼炉で発生した不完全燃焼ガスは、ベント配管の煙突効果によりベント配管を介して室外へ排出されるので、不完全燃焼ガスが燃焼炉の隙間等から室内に漏れ出すのを防止でき、室内における一酸化炭素中毒等の発生を回避できる。
【００１２】
また、本発明に係る温風暖房機によれば、煙管に詰まりが生じ燃焼ガスの通過が妨げられたときは、燃焼ガスの一部又がベント配管に流入するので、検知手段により燃焼ガスのベント配管への流入の有無に基づいて煙管の詰まりの発生を検知することができる。
【図面の簡単な説明】
【００１３】
【図１】本発明の実施形態に係る温風暖房機の概略図であって、正常運転時における空気及びガスの流れを説明する図。
【図２】図１に示す温風暖房機の概略図であって、停電時におけるガスの流れを説明する図。
【発明を実施するための形態】
【００１４】
添付図面を参照して、本発明の実施形態に係る温風暖房機について説明する。図１を参照して、本実施形態の温風暖房機１は、主に園芸ハウスＨに設置されて用いられるものであり、燃焼炉２と、燃焼炉２の下流側に位置する熱交換器３と、熱交換器３の下流側に位置する煙突４と、を備える。本実施形態における燃料炉２は特に回分式燃焼炉であり、燃料として例えばバイオマス固形燃料が用いられる。燃焼炉２には空気供給管５を介してハウス内空気（室内空気）が導入され、燃焼炉２で燃料が燃焼されて高温の燃焼ガスが発生する。
【００１５】
熱交換器３は燃焼ガス管６を介して燃焼炉２に接続されており、燃焼炉２で発生した燃焼ガスは燃焼ガス管６を介して熱交換器３へ供給される。熱交換器３は、ケーシング３１と、ケーシング３１内に設けられた複数本の煙管３２と、ケーシング３１の上面開口部に設けられた送風機３３と、を備える。各煙管３２は燃焼ガス管６に接続され、燃焼ガス管６を介して供給された燃焼ガスは複数の煙管３２を介して煙突４へ導かれ、煙突４から園芸ハウスＨ外（室外）へ排気される。送風機３３は、送風ファン（図示せず）の回転によりハウス内空気をケーシング３１内に取り入れると共に、煙管３２を通過する燃焼ガスとの間の熱交換により温風を生成し、このようにして生成された温風はダクト３４の送風口から園芸ハウスＨ内に流出し、暖房が行われる。
【００１６】
また、空気供給管５と煙突４にはそれぞれ送風機７，８が設けられている。送風機７，８は電動式の軸流送風機であって、送風器７，８の稼働によってハウス内空気の燃焼炉２への導入及び煙突４を介した燃焼ガスの排気が促される。
【００１７】
温風暖房機１は更に、燃焼ガス管６から分岐して園芸ハウスＨ外まで延出するベント配管９と、煙管３２における詰まりの発生を検知する検知手段１０と、検知手段１０に接続された報知手段１１と、を備え、ベント配管９の外面は断熱材１２で覆われている。検知手段１０は、ベント配管９の内部温度を検知する温度センサ１０ａと、温度センサ１０ａに接続された制御部１０ｂと、を備え、制御部１０ｂは温度センサ１０ａにより検知されたベント配管９の内部温度に基づき、煙管３２における詰まりの発生の有無を検知する。ベント配管９の直径は、煙突４の直径よりも小さく設定されており、例えば煙突４の直径が１２０ｍｍ程度の場合、ベント配管９の直径は２５ｍｍ程度であるのが好ましい。
【００１８】
このような構成を有する温風暖房機１による暖房は次の様にして行われる。送風器７，８によって燃焼炉２へハウス内空気を導入しつつ、燃焼炉２で燃料を燃焼させる。これにより燃焼炉２で発生した燃焼ガスは、送風器７，８によって燃焼ガス管６を介して煙管３２へ導入され、煙突４を介して園芸ハウスＨ外へ排気される。このとき、ベント配管９を介してハウス外空気（外気）も燃焼ガス管６へ導入されるが、ベント配管９の径は比較的小さいため、外気導入による実質的な問題は生じない。そして、送風機３３により熱交換器３のケーシング３１内に取り入れられたハウス内空気は、煙管３２を通過する燃焼ガスとの間の熱交換により暖められ、ダクト３４を介して園芸ハウスＨ内に送出される。
【００１９】
次に、温風暖房機１の運転中に送風器７，８が停止した場合のガスの排出について説明する。温風暖房機１の運転中に停電等が発生して送風器７，８が停止すると、燃焼炉２への燃焼空気の供給が行われなくなり、燃焼炉２では燃料の不完全燃焼が起こり、不完全燃焼ガスが発生する。この不完全燃焼ガスは、図２に示す様に、バイパス配管９の煙突効果によりバイパス配管９を介して園芸ハウスＨ外（室外）へ排出される。また、バイパス配管９の外面に設けられた断熱材１２によりバイパス配管９が保温されるため、バイパス配管９の通風力（煙突効果）が維持され、不完全燃焼ガスを効果的に排出することができる。
【００２０】
ここで、仮にバイパス配管９を設けないと、不完全燃焼ガスの一部は室外に排出されることなく燃焼炉２の隙間などから園芸ハウスＨ内に漏れ、一酸化炭素中毒のリスクが高まる。これは、熱交換器３には通風抵抗があるため、煙突４による自然通風だけでは不完全燃焼ガスの排出を十分に行うことができないのに加え、比較的径の大きい煙突４では不完全燃焼ガスが冷えやすく、十分な煙突効果を維持できないからである。
【００２１】
これに対し、バイパス配管９を設けることにより、自然通風のみで不完全燃焼ガスを効果的に排出することができ、一酸化炭素中毒のリスクを回避できる。
【００２２】
次に、熱交換器３の煙管３２の詰まりの検知について説明する。高温の燃焼ガスが通過する燃焼ガス管６の内部温度は、１，２５０°程度と高温である一方、温風暖房機１の正常運転時にはベント配管９には外気が導入されるため、ベント配管９の内部温度は外気温（園芸ハウスＨの室内温度（例えば、２５°程度））とほぼ等しい。しかしながら、煤の付着等により煙管３２に詰まりが生じると、燃焼ガスが十分に煙管３２を通過せず、燃焼ガス管６の内部圧力が高くなり、燃焼ガスの一部がベント配管９内に導入される。このようにして高温の燃焼ガスがベント配管９に流入すると、ベント配管９の内部温度が上昇する。よって、温度センサ１０ａを用いてベント配管９の内部温度をモニタすることで、燃焼ガスの燃焼ガス管６への流入の有無、ひいては煙管３２における詰まりの発生の有無を検知することができる。また、熱交換器３における煤の蓄積（煙管３２の詰まりの程度）が増すほど、ベント配管９に流入する燃焼ガスの量が増え、ベント配管９の内部温度も高くなる。よって、ベント配管９の内部温度に基づいて、煙管３２の詰まりの程度も検出することができる。
【００２３】
本実施形態では、温度センサ１０ａによる検知温度（温度センサ１０ａにより検知されたベント配管９の内部温度）が第１所定温度を超えた場合、制御部１０ｂは報知手段１１を駆動し、煤詰まりの発生を使用者に報知し、使用者に対して熱交換器３の清掃を促す。報知手段１１としては、発光ランプの点灯や報知音の発生等により煤詰まりの発生を報知できればその形態に限定はない。また、温度センサ１０ａによる検知温度が第２所定温度を超えた場合、制御部１０ｂは送風機７，８を停止させ、燃焼炉２への空気の供給を遮断することによって、燃焼ガスが室内へ漏れるのを防止する。
【００２４】
ここで、第１所定温度としては、１００°〜２００°とするのが好ましい。１００°以上であれば、煤詰まりの発生がほぼ確実だからである。また、第２所定温度としては、熱交換器３（煙管３２）が完全に閉塞する一歩手前の温度とするのが好ましく、具体的には２０１°〜３００°とするのが好ましい。
【００２５】
以上、本発明の実施形態に係る温風暖房機について添付の図面を参照して説明したが、本発明はかかる実施形態に限定されず、本発明の範囲を逸脱することなく種々の変形、修正が可能である。
【００２６】
例えば、上記実施形態においては送風機７，８を用いたが、何れか一方の送風機のみを用いてもよい。また、燃料はバイオマス燃料に限定されず、他の燃料であってもよい。
【００２７】
また、上記実施形態においては、検知手段１０はベント配管９の内部温度に基づきベント配管９への燃焼ガスの流入を検出したが、ベント配管９への燃焼ガスの流入を検出できれば、その検出方法に制限はない。
【符号の説明】
【００２８】
１  温風暖房機
２  燃焼炉
３  熱交換器
４  煙突
６  燃焼ガス管
７，８  送風機
９  ベント配管
１０  検知手段
１０ａ  温度センサ
１１  報知手段
１２  断熱材
【図１】
2018096565.tif 000003
【図２】
2018096565.tif 000004